(57)【要約】【課題】複数の光ディスクに自動的に番組をダビングする。【解決手段】第１ダビングモードではハードディスクＨＤに記録されている番組を複数の光ディスクＤＳにダビングする。この場合、ＣＰＵ３０は、操作部３１及びリモコン３２からの信号に基づいてダビング情報を生成する。ダビング情報は、ダビング元の番組とダビング先の光ディスクＤＳを指定する。ダビング先とダビング元のデータレートが一致する場合には、ハードディスクドライブＢから読み出した圧縮画像データを光ディスクドライブＡへ直接供給する一方、データレートが一致しない場合には、圧縮画像データを、画像音声伸張部１６においてデーコドした後、画像音声圧縮部１３において再エンコードして光ディスクＤＳへ記録する。【選択図】　　　図１
2004127470.tif 000002
【特許請求の範囲】
【請求項１】
圧縮画像データをディスクに記録する記録手段と、
外部から供給される複数の前記ディスクを収容し、収容した複数の前記ディスクから一つを選択して前記記録手段に装着されるディスクと交換する交換手段と、
圧縮画像データを記憶可能な記憶手段と、
利用者の操作に応じた信号を出力する入力手段と、
前記入力手段から出力される信号に基づいて、前記記憶手段に記憶された複数の番組の中からダビング元となる一又は複数の番組を指定するとともに収容した複数の前記ディスクの中からダビング先となる一又は複数のディスクを指定するダビング情報を生成し、前記ダビング情報に従って指定された一又は複数の番組を指定された一又は複数のディスクに記録させるように前記記録手段と前記交換手段とを制御する制御手段と
を備えたダビング装置。
【請求項２】
前記ディスクには、記録すべき前記圧縮画像データの番組の分類を示すディスク管理情報が記録されており、
前記ディスクから前記ディスク管理情報を読み出す読出手段を備え、
前記制御手段は、前記入力手段によって前記記憶手段から前記ディスクへのダビングが指定されると、収容された複数のディスクから前記ディスク管理情報を読み出して、分類が一致する番組が前記記憶手段に記憶されているかを検索し、一致する番組一覧を表示させるとともにダビングの対象となる番組を指定するように利用者に促す画像を示す画像データを生成する
ことを特徴とする請求項１に記載のダビング装置。
【請求項３】
前記ダビング情報がダビング先のディスクとして複数のディスクを指定する場合において、前記制御手段は、前記交換手段を制御して、指定された複数のディスクの中から選択した一つに前記圧縮画像データを記録させ、当該ディスクの記録が終了すると、当該ディスクを指定された複数のディスクのうち他のディスクに交換して記録を続行させることを特徴とする請求項１又は２に記載のダビング装置。
【請求項４】
前記ダビング情報が、ダビング先のディスクとして複数のディスクを指定し、かつ、複数の番組のダビングを指定する場合において、前記制御手段は、ある番組から次の番組へ移行する区切りで前記ディスクを交換するように前記交換手段を制御することを特徴とする請求項１乃至３のうちいずれか１項に記載のダビング装置。
【請求項５】
画像データをエンコードして圧縮画像データを生成する圧縮手段と、
圧縮画像データをデコードして画像データを生成する伸張手段とを備え、
前記制御手段は、前記入力手段から出力される信号に基づいて、圧縮率の指定を含む前記ダビング情報を生成し、前記記憶手段に記憶された圧縮画像データの圧縮率とダビング先のディスクに記録すべき圧縮画像データの圧縮率とが等しい場合には、前記記憶手段から読み出した前記圧縮画像データを前記記録手段に供給して所定にディスクに読み出した前記圧縮画像データを記録する一方、前記記憶手段に記憶された圧縮画像データの圧縮率とダビング先のディスクに記録すべき圧縮画像データの圧縮率とが異なる場合には、前記記憶手段から読み出した圧縮画像データを前記伸張手段に供給して画像データに変換した後、前記圧縮手段のよって指定された圧縮率で圧縮された圧縮画像データを生成し、当該圧縮画像データを前記記録手段に供給して所定にディスクに記録することを特徴とする請求項１乃至４のうちいずれか１項に記載のダビング装置。
【請求項６】
前記制御手段は、指定された番組を指定された圧縮率でエンコードした場合における圧縮画像データのデータ量を算出し、算出されたデータ量とダビング先の一又は複数のディスクの残容量とを比較して記録できない場合には、警告を発することを特徴とする請求項５に記載のダビング装置。
【請求項７】
圧縮画像データをディスクに記録再生する記録再生手段と、
外部から供給される複数の前記ディスクを収容し、収容した複数の前記ディスクから一つを選択して前記記録手段に装着されるディスクと交換する交換手段と、
圧縮画像データを記憶可能な記憶手段と、
利用者の操作に応じた信号を出力する入力手段と、
前記入力手段から出力される信号に基づいて、ダビング元になる前記ディスクと一又は複数の番組とを指定するとともにダビング先になる一又は複数のディスクを指定するダビング情報を生成し、前記ダビング情報に従って、ダビング元になる前記ディスクから指定された番組の圧縮画像データを再生して前記記憶手段に記憶させ、ダビング元のディスクをダビング先のディスクに交換して前記記憶手段から前記圧縮画像データを読み出し、読み出した前記圧縮画像データを前記ダビング先のディスクに記録させるように前記記録再生手段、前記交換手段及び前記記憶手段を制御ずる制御手段と
を備えたことを特徴とするダビング装置。
【請求項８】
前記ダビング情報が、ダビング先のディスクとして複数のディスクを指定し、かつ、複数の番組のダビングを指定する場合において、前記制御手段は、指定された複数のディスクの中から選択した一つに前記圧縮画像データを記録させ、ある番組から次の番組へ移行する区切りで前記ディスクを交換するように前記交換手段を制御することを特徴とする請求項７に記載のダビング装置。
【請求項９】
画像データをエンコードして圧縮画像データを生成する圧縮手段と、
圧縮画像データをデコードして画像データを生成する伸張手段とを備え、
前記制御手段は、前記入力手段から出力される信号に基づいて、圧縮率の指定を含むダビング情報を生成し、前記記憶手段に記憶されたダビング元の圧縮画像データの圧縮率とダビング先のディスクに記録すべき圧縮画像データの圧縮率とが等しい場合には、前記記憶手段に記憶されたダビング元の前記圧縮画像データを前記記録再生手段に供給する一方、ダビング元の圧縮画像データの圧縮率とダビング先の圧縮画像データの圧縮率とが異なる場合には、前記記憶手段から読み出したダビング元の圧縮画像データを前記伸張手段に供給して画像データに変換した後、前記圧縮手段によって指定された圧縮率で圧縮した圧縮画像データを生成し、当該圧縮画像データを前記記録再生手段に供給して所定にディスクに記録することを特徴とする請求項７又は８に記載のダビング装置。
【請求項１０】
前記制御手段は、指定された番組を指定された圧縮率でエンコードした場合における圧縮画像データのデータ量を算出し、算出されたデータ量とダビング先の一又は複数のディスクの残容量とを比較して記録できない場合には、警告を発することを特徴とする請求項９に記載のダビング装置。
【請求項１１】
利用者の操作に応じた信号を出力する入力手段と圧縮画像データを記憶可能な記憶手段とを備え、外部から供給される複数のディスクを収容し、収容した複数の前記ディスクから一つを選択して前記圧縮画像データを記録可能なダビング装置の制御方法であって、
前記入力手段から出力される信号に基づいて、前記記憶手段に記憶された複数の番組の中からダビング元となる一又は複数の番組を指定するとともに収容した複数の前記ディスクの中からダビング先となる一又は複数のディスクを指定するダビング情報を生成し、
前記ダビング情報に従ってダビング先となる一又は複数のディスクの中から選択し、
前記ダビング情報に従ってダビング元となる一又は複数の番組の圧縮画像データを前記記憶手段から読出し、
読み出した前記圧縮画像データを選択した前記ディスクに記録し、
当該ディスクへの記録が終了すると、当該ディスクをダビング先となる他のディスクに交換して読み出した前記圧縮画像データの記録を続行する
ことを特徴とするダビング装置の制御方法。
【請求項１２】
利用者の操作に応じた信号を出力する入力手段と圧縮画像データを記憶可能な記憶手段とを備え、外部から供給される複数のディスクを収容し、収容した複数の前記ディスクから一つを選択して前記圧縮画像データを記録再生可能なダビング装置の制御方法であって、
前記入力手段から出力される信号に基づいて、ダビング元になる前記ディスクと一又は複数の番組とを指定するとともにダビング先になる一又は複数のディスクを指定するダビング情報を生成し、
前記ダビング情報に従って、ダビング元になる前記ディスクから指定された番組の圧縮画像データを再生して前記記憶手段に記憶し、
ダビング元のディスクをダビング先のディスクに交換して前記記憶手段から前記圧縮画像データを読み出し、
読み出した前記圧縮画像データを前記ダビング先のディスクに記録させる
ことを特徴とするダビング装置の制御方法。
【発明の詳細な説明】
【０００１】
【発明の属する技術分野】
本発明は画像データのダビング技術に関する。
【０００２】
【従来の技術】
従来のビデオディスクレコーダは、１枚のディスクを本体内に取り込み、当該ディスクに画像を記録し再生する。また、ハードディスクを内蔵したビデオディスクレコーダも既に市販されている。
【０００３】
【発明が解決しようとする課題】
従来のビデオディスクレコーダは、本体内に取り込めるディスクは一枚であったので、ハードディスクに録画した番組をディスクにダビングする時には、番組毎にダビングしたいディスクを入れ替えて、ダビングしなければならなかった。また、ディスクからディスクにダビングする場合も、元のディスクからまずハードディスクにダビングし、次にディスクを入れ替えて、ハードディスクからディスクへダビングしなければならなかった。
【０００４】
本発明が解決しようとする課題としては、上記した問題が一例として挙げられる。
【０００５】
【課題を解決するための手段】
請求項１に記載の発明は、圧縮画像データをディスクに記録する記録手段と、外部から供給される複数の前記ディスクを収容し、収容した複数の前記ディスクから一つを選択して前記記録手段に装着されるディスクと交換する交換手段と、圧縮画像データを記憶可能な記憶手段と、利用者の操作に応じた信号を出力する入力手段と、前記入力手段から出力される信号に基づいて、前記記憶手段に記憶された複数の番組の中からダビング元となる一又は複数の番組を指定するとともに収容した複数の前記ディスクの中からダビング先となる一又は複数のディスクを指定するダビング情報を生成し、前記ダビング情報に従って指定された一又は複数の番組を指定された一又は複数のディスクに記録させるように前記記録手段と前記交換手段とを制御する制御手段とを備えたダビング装置である。
【０００６】
請求項７に係る発明は、圧縮画像データをディスクに記録再生する記録再生手段と、外部から供給される複数の前記ディスクを収容し、収容した複数の前記ディスクから一つを選択して前記記録手段に装着されるディスクと交換する交換手段と、圧縮画像データを記憶可能な記憶手段と、利用者の操作に応じた信号を出力する入力手段と、前記入力手段から出力される信号に基づいて、ダビング元になる前記ディスクと一又は複数の番組とを指定するとともにダビング先になる一又は複数のディスクを指定するダビング情報を生成し、前記ダビング情報に従って、ダビング元になる前記ディスクから指定された番組の圧縮画像データを再生して前記記憶手段に記憶させ、ダビング元のディスクをダビング先のディスクに交換して前記記憶手段から前記圧縮画像データを読み出し、読み出した前記圧縮画像データを前記ダビング先のディスクに記録させるように前記記録再生手段、前記交換手段及び前記記憶手段を制御ずる制御手段とを備えたダビング装置である。
【０００７】
請求項１１に係る発明は、利用者の操作に応じた信号を出力する入力手段と圧縮画像データを記憶可能な記憶手段とを備え、外部から供給される複数のディスクを収容し、収容した複数の前記ディスクから一つを選択して前記圧縮画像データを記録可能なダビング装置の制御方法であって、前記入力手段から出力される信号に基づいて、前記記憶手段に記憶された複数の番組の中からダビング元となる一又は複数の番組を指定するとともに収容した複数の前記ディスクの中からダビング先となる一又は複数のディスクを指定するダビング情報を生成し、前記ダビング情報に従ってダビング先となる一又は複数のディスクの中から選択し、前記ダビング情報に従ってダビング元となる一又は複数の番組の圧縮画像データを前記記憶手段から読出し、読み出した前記圧縮画像データを選択した前記ディスクに記録し、当該ディスクへの記録が終了すると、当該ディスクをダビング先となる他のディスクに交換して読み出した前記圧縮画像データの記録を続行することを特徴とする。
【０００８】
請求項１２に係る発明は、利用者の操作に応じた信号を出力する入力手段と圧縮画像データを記憶可能な記憶手段とを備え、外部から供給される複数のディスクを収容し、収容した複数の前記ディスクから一つを選択して前記圧縮画像データを記録再生可能なダビング装置の制御方法であって、前記入力手段から出力される信号に基づいて、ダビング元になる前記ディスクと一又は複数の番組とを指定するとともにダビング先になる一又は複数のディスクを指定するダビング情報を生成し、前記ダビング情報に従って、ダビング元になる前記ディスクから指定された番組の圧縮画像データを再生して前記記憶手段に記憶し、ダビング元のディスクをダビング先のディスクに交換して前記記憶手段から前記圧縮画像データを読み出し、読み出した前記圧縮画像データを前記ダビング先のディスクに記録させることを特徴とする。
【０００９】
【発明の実施の形態】
以下、本発明に係わる実施形態について説明する。
【００１０】
実施形態に係るダビング装置は、圧縮画像データをディスクに記録再生する記録再生手段と、外部から供給される複数の前記ディスクを収容し、収容した複数の前記ディスクから一つを選択して前記記録再生手段に装着されるディスクと交換する交換手段と、圧縮画像データを記憶可能な記憶手段と、利用者の操作に応じた信号を出力する入力手段と、前記入力手段から出力される信号に基づいて、前記記憶手段に記憶された複数の番組の中からダビング元となる一又は複数の番組を指定するとともに収容した複数の前記ディスクの中からダビング先となる一又は複数のディスクを指定するダビング情報を生成し、前記ダビング情報に従って指定された一又は複数の番組を指定された一又は複数のディスクに記録させるように前記記録再生手段と前記交換手段とを制御する制御手段とを備える。
【００１１】
このダビング装置の記録媒体は、ディスクと記憶手段とを備える。ディスクとしては、例えば、相変化型又は光磁気型の光ディスクを用いることができる。記録再生手段としては、例えば、光ディスクドライブが該当する。一方、記憶手段は、圧縮画像データを記憶できれば、どのような物であってもよく、例えば、ハードディスクドライブや半導体メモリが該当する。
【００１２】
利用者が入力手段を操作して、ダビング元の番組とダビング先のディスクを指定すると、交換手段によってダビング先のディスクが記録再生手段にローディングされ、記憶手段から読み出された圧縮画像データがダビングされる。
【００１３】
ここで、ディスクには、記録すべき圧縮画像データの番組の分類を示すディスク管理情報が記録されていてもよい。この場合、ディスクを本体に取り込む際に、記録再生手段を用いてディスクからディスク管理情報を読み出す。制御手段は、記憶手段からディスクへのダビングが指定されると、収容された複数のディスクからディスク管理情報を読み出す。そして、制御手段は、読み出したディスク管理情報を参照して、分類が一致する番組が記憶手段に記憶されているかを検索する。このとき、記憶手段に記憶する各番組について分類を示す録画情報を生成し、これを記憶手段の所定の記憶領域に予め記憶しておき、録画情報を参照して検索することが好ましい。この後、制御手段は、ダビング指定画面の画像データを生成する。このダビング指定画面は、分類が一致する番組一覧を表示させるとともにダビングの対象となる番組を指定するように利用者に促す。これにより、利用者は、ダビング指定画面を参照して、各ディスクに番組を分類しながらダビングを指定することが可能となる。この結果、用途や番組の種別に分けてディスクに番組を記録することが可能となる。
【００１４】
また、ダビング情報がダビング先のディスクとして複数のディスクを指定する場合、制御手段は、交換手段を制御して、指定された複数のディスクの中から選択した一つに圧縮画像データを記録させ、当該ディスクの記録が終了すると、当該ディスクを指定された複数のディスクのうち他のディスクに交換して記録を続行させる。これにより、利用者がディスクを出し入れする手間を省くことができる。
【００１５】
また、ダビング情報が、ダビング先のディスクとして複数のディスクを指定し、かつ、複数の番組のダビングを指定する場合において、前記制御手段は、ある番組から次の番組へ移行する区切りで前記ディスクを交換するように前記交換手段を制御することが好ましい。この場合、番組の途中でディスクが交換されることがないので、番組単位でディスクを管理することが可能となる。
【００１６】
さらに、上述したダビング装置は、画像データをエンコードして圧縮画像データを生成する圧縮手段と、圧縮画像データをデコードして画像データを生成する伸張手段とを備え、前記制御手段は、前記入力手段から出力される信号に基づいて、圧縮率の指定を含む前記ダビング情報を生成し、前記記憶手段に記憶された圧縮画像データの圧縮率とダビング先のディスクに記録すべき圧縮画像データの圧縮率とが等しい場合には、前記記憶手段から読み出した前記圧縮画像データを前記記録手段に供給して所定にディスクに読み出した前記圧縮画像データを記録する一方、前記記憶手段に記憶された圧縮画像データの圧縮率とダビング先のディスクに記録すべき圧縮画像データの圧縮率とが異なる場合には、前記記憶手段から読み出した圧縮画像データを前記伸張手段に供給して画像データに変換した後、前記圧縮手段のよって指定された圧縮率で圧縮された圧縮画像データを生成し、当該圧縮画像データを前記記録手段に供給して所定にディスクに記録することが好ましい。この場合には、圧縮率を変更してダビングを実行できるので、長時間の番組を１枚のディスクにまとめて記録することが可能となる。
【００１７】
さらに、制御手段は、指定された番組を指定された圧縮率でエンコードした場合における圧縮画像データのデータ量を算出し、算出されたデータ量とダビング先の一又は複数のディスクの残容量とを比較して記録できない場合には、警告を発することが好ましい。これにより、利用者は、ダビング元の番組削除したり、あるいは、圧縮率を変更する必要があることを知ることができる。
【００１８】
くわえて、上述したダビング装置は、ディスクからディスクへのダビングも可能である。この場合、利用者が、入力手段を操作して、ダビング元になる前記ディスクと一又は複数の番組とを指定するとともにダビング先になる一又は複数のディスクを指定すると、制御手段は、これらを示すダビング情報を生成し、ダビング情報に従って、ダビング元になる前記ディスクから指定された番組の圧縮画像データを再生して前記記憶手段に記憶させる。この後、制御手段は、交換手段を制御して、ダビング元のディスクをダビング先のディスクに交換して記憶手段から圧縮画像データを読み出し、読み出した圧縮画像データをダビング先のディスクに記録させる。すなわち、ディスクからディスクへのダビングにおいても、利用者がディスクの交換を手動で行うことなく自動的にダビングを完了させることが可能となる。
【００１９】
【実施例】
以下、図面を参照しつつ、本発明の一実施例であるディスク記録再生装置について説明する。
【００２０】
＜１．ディスク記録再生装置の構成＞
図１は、ディスク記録再生装置１００の構成を示すブロック図である。同図に示すようにディスク記録再生装置１００は、ディスク交換機構１、光ディスクドライブＡ、ハードディスクドライブＢ、信号処理部Ｃ、及び制御部Ｄを備える。ディスク交換機構１は、複数枚の光ディスクＤＳを収容する収容部と、収容部に収容された光ディスクＤＳを選択して光ディスクドライブＡにローディングする移送機構とを備えている。収容部は、複数の光ディスクＤＳを縦方向に積載するマガジンラックあるいは平面状に収容するカルーセルによって構成される。
【００２１】
装置１００の正面パネルには、光ディスクＤＳを出し入れするための挿入口が設けられており、利用者が後述する操作部３１又はリモコン３２を操作すると、挿入口からスライド式のステージが出てくる。そして、利用者がステージに光ディスクＤＳを載せて、操作部３１又はリモコン３２を操作すると、光ディスクＤＳが装置１００の内部に取り込まれる。この操作を繰り返すことにより、複数枚の光ディスクＤＳが取り込まれ、上述した収容部に光ディスクＤＳが収容されるようになっている。
【００２２】
光ディスクドライブＡは、ピックアップ２、変調部３、及び復調部４を備える。ピックアップ２は、記録時において記録データに応じて変調された光を光ディスクＤＳに照射して、光ディスクＤＳにデータを書き込む一方、再生時において光を光ディスクに照射してその反射光を受光して電気信号に変換して出力する。変調部４は、第３切換部１４から供給される記録データを変調する一方、復調部５は、ピックアップ３の出力信号を復調して再生データを生成する。
【００２３】
ハードディスクドライブＢは、変調部５、復調部６及びヘッド７を備える。ヘッド７は、記録時において記録データに応じて変調された信号をハードディスクＨＤに磁気記録する一方、再生時においてハードディスクＨＤに記録された信号を再生する。変調部５は、第３切換部１４から供給される記録データを変調する一方、復調部６は、ヘッド７の出力信号を復調して再生データを生成する。
【００２４】
信号処理部Ｃは、入力画像信号Ｖｉｎ及び入力音声信号Ａｉｎに基づいて、記録データを生成するとともに、再生データに基づいて出力画像信号Ｖｏｕｔ及び出力音声信号Ａｏｕｔを生成する。信号選択部９は外部から供給される画像信号及び音声信号の組とチュナー８から供給される画像信号及び音声信号の組とを選択し、入力画像信号Ｖｉｎ及び入力音声信号Ａｉｎとして出力する。チュナー８はＣＰＵ３０からの指令に基づいて、放送チャネルを選択して画像信号及び音声信号を出力する。ＡＤ変換器（ＡＤＣ）１０及び１１は、入力画像信号Ｖｉｎ及び入力音声信号Ａｉｎをアナログ信号からデジタル信号に変換して、入力画像データ及び入力音声データとして第１切換部１２に供給する。
【００２５】
第１切換部１２は、ＣＰＵ３０からの指令に基づいて、通常録画モードにおいて、入力画像データ及び入力音声データを選択する一方、所定のダビングモードにおいて画像音声伸張部１６から出力される出力画像データ及び出力音声データの組を選択する。画像音声圧縮部１３は、第１切換部１２の出力データに圧縮符号化（エンコード）を施して記録データを生成する。
【００２６】
圧縮符号化法として、この例では、ＭＰＥＧ（Ｍｏｖｉｎｇ　Ｐｉｃｔｕｒｅ　Ｅｘｐｅｒｔ　Ｇｒｏｕｐ）規格に準拠した差分ＤＣＴ符号化を用いる。この場合、記録データの構造は、時間方向への圧縮を構成し、Ｉフレーム（フレーム内符号化画像）、Ｐフレーム（フレーム間順方向予測符号化画像）、Ｂフレーム（フレーム間双方向予測符号化画像）を要素とする。すなわち、Ｉフレームにおいてはフレーム内で符号化したフレーム内データが生成され、Ｐフレーム及びＢフレームにおいてはフレーム間で符号化されたフレーム間データが生成される。そして、あるＩフレームから次のＩフレームの直前までの画像は、ＧＯＰ（Ｇｒｏｕｐ　Ｏｆ　Ｐｉｃｔｕｒｅ）と呼ばれる単位で管理される。
【００２７】
また、画像音声圧縮部１３は、ＣＰＵ３０からの指令に基づいて、４種類の圧縮率の中から１つを選択する。選択された圧縮率に従った記録を記録モードという。記録モードは圧縮率の高い順にＥＰ、ＬＰ、ＳＰ、及びＨＰと呼ばれる。１枚の光ディスクＤＳに対して、ＨＰでは１時間、ＳＰでは２時間、ＬＰでは４時間、及びＥＰでは６時間の録画が可能である。
【００２８】
第２切換部１４は、ＣＰＵ３０からの指令に基づいて画像音声圧縮部１３から出力される記録データと第３切換部１５から出力される再生データとを選択して変調部３及び５に供給する。また、第３切換部１５は、ＣＰＵ３０からの指令に基づいて光ディスクドライブＡの再生データとハードディスクドライブＢの再生データを選択して出力する。
【００２９】
画像音声伸張部１６は、再生データを伸張復号化（デコード）して、再生画像データと再生音声データとを生成する。第４切換部１７は、ＣＰＵ３０からの指令に基づいて、入力画像データ及び入力音声データの組と再生画像データ及び再生音楽データの組のうちいずれか一方を選択し、出力画像データ及び出力音声データとして出力する。ＧＵＩ１８は出力画像データと所定の画像データとを合成する。所定の画像データは、例えば、アイコンやテキストを表す画像である。これにより、各種のユーザーインターフェースを提供することが可能である。ＤＡ変換器（ＤＡＣ）１９は、ＧＵＩ１８の出力データをデジタル信号からアナログ信号へ変換して出力画像信号Ｖｏｕｔを生成する。また、ＤＡ変換器（ＤＡＣ）２０は、第４切換部１７の出力データから出力音声信号Ａｏｕｔを生成する。
【００３０】
次に、制御部Ｄは、ＣＰＵ３０、操作部３１、リモコン３２、受光部３３、メモリ３４、表示部３５及びタイマー部３６を備える。ＣＰＵ３０は、制御プログラムに従って、ディスク記録再生装置１００の各構成部分を制御する制御中枢として機能する。操作部３１は装置１００の正面パネルに設けられており、これによって、利用者の操作指示が入力される。リモコン３２は利用者の操作指示を入力する手段であって、操作に応じた赤外線を発光するようになっている。受光部３３は、リモコン３２からの赤外線を受光して、信号をＣＰＵ３０に出力する。なお、操作部３１及びリモコン３２には、ＵＰ／ＤＯＷＮキーや左右キーが設けられており、利用者がこれらのキーを操作することによって、各種の指示が入力できるようになっている。
【００３１】
表示部３５は、装置１００の正面パネルに設けられており、そこには記録時間や再生時間等の各種情報が表示されるようになっている。メモリ３４は、ＣＰＵ３０の作業領域として機能するとともに、各種の情報が記憶されるようになっている。タイマー部３６は、クロック信号を計数して現在の日時を示す日時情報を生成する。このディスク記録再生装置１００は、タイマー予約機能を備えている。利用者は操作部３１又はリモコン３２を操作することによって、録画チャネル、録画開始時間及び録画終了時間等を予め指定できる。そして、これらの情報はタイマー録画情報としてメモリ３４に記憶されるようになっており、ＣＰＵ３０は、タイマー録画情報の示す録画開始時間と日時情報の示す現在時間とを常時比較して両者が一致すると、所定の光ディスクＤＳ又はハードディスクＨＤに録画を開始するように装置１００全体を制御する。
【００３２】
通常録画モードにおいては、番組のタイトル名、番組の記録モードの種別、番組の属性、番組のデータ量、及び番組の記録時間を含む録画情報が生成され、ハードディスクＨＤに記憶される。また、光ディスクＤＳには、番組のタイトル名、番組の記録モードの種別、番組のデータ量、番組の記録時間、及び当該ディスクに記録すべき番組の属性を含むディスク管理情報が記録される。ここで、番組の属性とは、番組を分類するための情報であって、例えば、映画、ニュース、あるいはドラマといったジャンル、父や母等の利用者を識別する情報が該当する。
【００３３】
以上の構成において、ディスク記録再生装置１００は、ダビングの状態として第１〜第３ダビングモードを取る。第１及び第２ダビングモードは、ハードディスクＨＤから光ディスクＤＳへダビングを実行する一方、第３ダビングモードは、光ディスクＤＳ間でダビングを実行する。そして、ダビングを実行する際には、ＣＰＵ３０は、上述した録画情報やディスク管理情報を参照して、ＧＵＩ１８を制御することにより、ダビング指定画面を表示する画像データを生成する。
このダビング指定画面は、ダビング元の種別（特定された光ディスク、ハードディスクの別）、ダビング元の番組、ダビング先の光ディスクを指定するユーザーインターフェースを提供する。
【００３４】
＜２．ディスク記録再生装置の動作＞
次に、ディスク記録再生装置１００の動作について、説明する。
【００３５】
＜２−１：第１ダビングモード＞
図２は、第１ダビングモードにおけるＣＰＵ３０の動作を示すフローチャートである。第１ダビングモードは、ハードディスクＨＤから複数枚の光ディスクＤＳへのダビングを実行する動作状態である。ハードディスクＨＤに記録されている番組を光ディスクＤＳにダビングする場合、利用者は複数枚の光ディスクＤＳを装置１００に順次挿入して、本体内に収容させる。この際、ＣＰＵ３０は、各光ディスクＤＳからディスク管理情報を読み取って、読み取ったディスク管理情報をメモリ３４に記憶する。
【００３６】
利用者が操作部３１又はリモコン３２を操作して、第１ダビングモードを選択すると、ＣＰＵ３０は操作部３１又はリモコン３２の出力信号に基づいて、これを検知する（ステップＳ１）。この後、ＣＰＵ３０は、ＧＵＩ１８を制御して、第１ダビングモード用のダビング指定画面を表示させる（ステップＳ２）。この際、ＣＰＵ３０はハードディスクＨＤに記録されている録画情報を参照して、番組のタイトル名と記録モードとを取得する。そして、ＣＰＵ３０は、タイトル名及び記録モードと、メモリ３４に記憶されているディスク管理情報とに基づいて、ダビング指定画面を表示させる。
【００３７】
図３にダビング指定画面の一例を示す。この図に示すようにダビング指定画面は、ハードディスクＨＤに記録されている総ての番組を一覧として表示する画面である。なお、番組数が多いため１枚の画面で表示できない場合は、ＣＰＵ３０は、頁送りによって総ての番組を表示させる。
【００３８】
次に、利用者はダビング指定画面を見ながら、操作部３１又はリモコン３２を操作して、１）ダビングしたい番組、２）ダビング先のディスク、３）記録モードを入力する（ステップＳ３）。より具体的には、利用者は、操作部３１又はリモコン３２のＵＰ／ＤＯＷＮキーを操作してダビングしたい番組を選択する。次に、利用者は左右キーを操作してダビング先のディスクの入力にカーソルを移動させ、ＵＰ／ＤＯＷＮキーでダビング先のディスクを選択する。さらに、利用者は、左右キーを操作して記録モードにカーソルを移動させ、記録モードを指定する。
【００３９】
記録モードによって、記録データレートが指定される。記録データレートとしては、ＤＲ（ダイレクト）、ＨＰ（１Ｈ）、ＳＰ（２Ｈ）、ＬＰ（４Ｈ）、及びＥＰ（６Ｈ）がある。ＤＲは、ダビング元のデータレートとダビング先のデータレートとを一致させる。例えば、ハードディスクＨＤにＨＰで記録されている番組は、光ディスクＤＳにＨＰで記録される。また、ダビング元のデータレートとダビング先のデータレートが異なる場合には、ハードディスクＨＤから再生した再生データを画像音声伸張部１６で伸張した後、画像音声圧縮部１３においてダビング先のデータレートで再び圧縮して記録データを生成する。例えば、図３に示す番組「利家とまつ２００２／７／７」は、ダビング元がＳＰでありダビング先がＬＰであるから、一旦、伸張した後、伸張前の圧縮率より高い圧縮率で圧縮した記録データを光ディスクＤＳに記録される。このように、ダビング指定画面を用いて、ハードディスクＨＤに記録された番組から、一つ又は複数の番組を選択指定し、選択指定した番組毎にダビング先の光ディスクＤＳを指定することができる。
【００４０】
そして、利用者がカーソルを決定キーに移動させてクリックすると、ＣＰＵ３０は、ダビングを指示されたすべての番組が、指示された光ディスクＤＳにデータ容量的に記録可能かを、光ディスクＤＳの空き容量と、指示された番組のデータ容量とに基づいて判定する（ステップＳ４）。ここで、光ディスクＤＳの空き容量はディスク管理情報によって特定され、番組のデータ容量は録画情報によって特定される。このときに、レート変換するものに関しては、ＣＰＵ３０は変換後のデータ容量を計算し、計算結果に基づいて判定する。
【００４１】
光ディスクＤＳの空き容量が番組のデータ容量より小さい場合には、ステップＳ４の判定結果はＮＯとなり、ＣＰＵ３０は、処理をステップＳ５に進めて、警告を表示させ、処理をステップＳ３に戻す。利用者は、ダビング指定画面を参照してダビングする番組を少なくするか、データレートを低くする等を選択することによって、ダビングが可能となる。なお、ステップＳ５における警告表示において、ＣＰＵ３０は、ディスク管理情報及び番組情報に基づいて、空き容量が番組のデータ容量を上回る光ディスクＤＳを特定し、ダビング先の候補として画面に表示させてもよい。また、ダビング先の光ディスクＤＳに記録されている番組を削除候補として表示させてもよい。さらに、候補の表示を省略し、利用者の指定として取り扱ってもよい。
【００４２】
ステップＳ４の判定結果がＹＥＳの場合、ＣＰＵ３０は処理をステップＳ６に進め、ＧＵＩ１８を制御してダビング指示画面を表示させる。ダビング指示画面には、実行ボタンと取り消しボタンとが表示される。利用者が取り消しボタンをクリックすると、ＣＰＵ３０は、処理をステップＳ３に戻し、利用者に対して再度ダビング内容の設定を促す。
【００４３】
一方、利用者が実行ボタンをクリックすると、ダビングが開始される。まず、ＣＰＵ３０は、ダビング情報に基づいて、ディスク交換機構１を制御して、最初のダビング先に指定された光ディスクＤＳを選択して、光ディスクドライブＡにローディングさせる（ステップＳ７）。
【００４４】
次に、ＣＰＵ３０は、当該光ディスクＤＳにダビングを指示された番組を、順次、ハードディスクＨＤから読み出して指定されたモード（ダイレクトか又は指定されたモードへのデータレート変換）でダビングする。当該光ディスクＤＳにダビングを指示された全ての番組のダビングが終了すると（ステップＳ８）、ＣＰＵ３０は、ダビング情報に基づいて、ダビングすべき番組が残っているか否かを判定し（ステップＳ９）、残っていれば、光ディスクＤＳを交換して（ステップＳ１０）、全ての番組のダビングが終了するまで処理を繰り返す。そして、全ての指定されたダビングが完了すると、ダビングを終了する（ステップＳ１１）。
【００４５】
なお、ダビングが完了すると、光ディスクＤＳの記録内容が変更されるので、ディスク管理情報を更新する必要がある。このため、ＣＰＵ３０は、全ての指定されたダビングが終了した後、あるいは、１枚毎のダビングが終了した時点でディスク管理情報を光ディスクＤＳに書き込んでいる。
【００４６】
＜２−２：第２ダビングモード＞
次に、第２ダビングモードについて説明する。第２ダビングモードは、ハードディスクＨＤから複数枚の光ディスクＤＳへのダビングを実行する点で第１ダビングモードと共通するが、番組の属性（分類）を考慮してダビングを実行する点で第１ダビングモードと相違する。図４は、第２ダビングモードにおけるＣＰＵ３０の動作を示すフローチャートである。このフロチャートに示すように、ステップＳ２の替わりにステップＳ１０２を実行する点を除いて、第２ダビングモードは図２に示す第１ダビングモードと同様である。
【００４７】
ハードディスクＨＤに記録されている番組を光ディスクＤＳにダビングする場合、利用者は複数枚の光ディスクＤＳを装置１００に順次挿入して、本体内に収容させる。この際、ＣＰＵ３０は、各光ディスクＤＳからディスク管理情報を読み取ってメモリ３４に記憶するとともに、ハードディスクＨＤから録画情報を読み取ってメモリ３４に記憶する。ディスク管理情報及び録画情報は、上述したよう番組の属性を含む。なお、番組の属性は、タイマー予約時や録画時に、利用者が操作部３１又はリモコン３２を操作して入力される。
【００４８】
ステップＳ１０２において、ＣＰＵ３０は、光ディスクＤＳのディスク管理情報が指示する属性に合致する番組を録画情報に基づいて検索して表示する。つまり、ダビングすべき番組と、ダビング先の光ディスクＤＳは予め自動的に選定されることになる。図５にダビング指定画面の一例を示す。同図に示すように、ダビング指定画面には、ダビング先の光ディスクＤＳに登録された属性も表示される。また、複数枚の同一属性の光ディスクＤＳを装着可能で、同一属性の複数番組を、複数枚の光ディスクＤＳに、分けて記録することも可能である。この例では、光ディスク３と４は同じ“父”と言う属性になっている。“父”の属性を持つ番組は、まず光ディスク３にダビングを設定され、光ディスク３に入りきらないと判定された場合、光ディスク４にダビングを設定される。このようにダビング指定画面を用いて、ハードディスクＨＤに記録された番組を、属性で分類し、一つ又は複数の属性を選択指定し、属性毎にダビング先の光ディスクを指定することができる。
【００４９】
以下、実際のダビングに関しては、第１ダビングモードと同様であるので説明を省略する。多数の番組を録画する場合には、録画した番組を整理することが後から所望の番組を再生するのに重要である。第２ダビングモードによれば、ダビング元の番組の属性に従って、収容された複数の光ディスクＤＳの中から属性が一致する光ディスクＤＳを自動的に選択してダビングすることも可能であるから、利用者の手間を大幅に簡略化して、用途別、目的別、あるいは利用者別の光ディスクＤＳを作成できる。
【００５０】
＜２−３：第３ダビングモード＞
次に、第３ダビングモードについて説明する。第３ダビングモードでは、光ディスクＤＳから光ディスクＤＳへのダビングが実行される。図６は、第３ダビングモードにおけるＣＰＵ３０の動作を示すフローチャートである。光ディスクＤＳ間でダビングする場合、利用者は複数枚の光ディスクＤＳを装置１００に順次挿入して、本体内に収容させる。この際、ＣＰＵ３０は、各光ディスクＤＳからディスク管理情報を読み取って、読み取ったディスク管理情報をメモリ３４に記憶する。
【００５１】
利用者が操作部３１又はリモコン３２を操作して、第３ダビングモードを選択すると、ＣＰＵ３０は操作部３１又はリモコン３２の出力信号に基づいて、これを検知する（ステップＳ２０１）。この後、ＣＰＵ３０は、ＧＵＩ１８を制御して、第３ダビングモード用のダビング指定画面を表示させる（ステップＳ２０２）。図７にダビング指定画面の一例を示す。この図に示すようにダビング指定画面は、各光ディスクＤＳに記録されている総ての番組をディスク番号と対応付けて一覧として表示する画面である。なお、番組数が多いため１枚の画面で表示できない場合は、ＣＰＵ３０は、頁送りによって総ての番組を表示させる。
【００５２】
次に、利用者はダビング指定画面を見ながら、操作部３１又はリモコン３２を操作して、１）ダビングしたい番組、２）ダビング先のディスク、３）録画モードを入力する（ステップＳ２０３）。
【００５３】
そして、利用者がカーソルを決定キーに移動させてクリックすると、ＣＰＵ３０は、ダビングを指示されたすべての番組が、指示された光ディスクＤＳにデータ容量的に記録可能かを、ダビング先の光ディスクＤＳの空き容量と、指示された番組のデータ容量とに基づいて判定する（ステップＳ２０４）。ここで、光ディスクＤＳの空き容量及び番組のデータ容量はディスク管理情報によって特定される。このときに、レート変換するものに関しては、ＣＰＵ３０は変換後のデータ容量を計算し、計算結果に基づいて判定する。
【００５４】
光ディスクＤＳの空き容量が番組のデータ容量より小さい場合には、ステップＳ２０４の判定結果はＮＯとなり、ＣＰＵ３０は、処理をステップＳ２０５に進めて、警告を表示させ、処理をステップＳ２０３に戻す。利用者は、ダビング指定画面を参照してダビングする番組を少なくするか、データレートを低くする等を選択することによって、ダビングが可能となる。なお、ステップＳ２０５における警告表示において、ＣＰＵ３０は、ディスク管理情報に基づいて、空き容量が番組のデータ容量を上回る光ディスクＤＳを特定し、ダビング先の候補として画面に表示させてもよい。また、ダビング先の光ディスクＤＳに記録されている番組を削除候補として表示させてもよい。さらに、候補の表示を省略し、利用者の指定として取り扱ってもよい。
【００５５】
ステップＳ２０４の判定結果がＹＥＳの場合、ＣＰＵ３０は処理をステップＳ２０６に進め、ＧＵＩ１８を制御してダビング指示画面を表示させる。ダビング指示画面には、実行ボタンと取り消しボタンとが表示される。利用者が取り消しボタンをクリックすると、ＣＰＵ３０は、処理をステップＳ３に戻し、利用者に対して再度ダビング内容の設定を促す。
【００５６】
一方、利用者が実行ボタンをクリックすると、ダビングが開始される。まず、ＣＰＵ３０は、ダビング情報に基づいて、ディスク交換機構１を制御して、最初のダビング元に指定された光ディスクＤＳを選択して、光ディスクドライブＡにローディングさせる（ステップＳ２０７）。次に、ＣＰＵ３０は、ダビングの対象となる番組を指定された記録モードでハードディスクＨＤにダビングさせる。
【００５７】
次に、ＣＰＵ３０は、ディスク管理情報に基づいて、連続録画された番組か他の光ディスクＤＳに記録されているか否かをディスク管理情報に基づいて判定する（ステップＳ２０９）。連続録画された番組で、且つ続きの光ディスクＤＳが装置１００本体に収容されていれば、ＣＰＵ３０はディスク交換機構１を制御して光ディスクＤＳを交換させ（ステップＳ２１０）、処理をステップＳ２０８に戻す。連続録画とは、一つの番組を複数の光ディスクＤＳに分割して録画することをいい。連続録画か否かはディスク管理情報の一部として光ディスクＤＳに記録されている。
【００５８】
一方、連続録画された他の光ディスクＤＳの続きがなければ、ＣＰＵ３０は処理をステップＳ２１１に進めて、ディスク交換機構１を制御してダビング元の光ディスクＤＳをダビング先の光ディスクＤＳに交換させる。
【００５９】
この後、ＣＰＵ３０は、ハードディスクＨＤにダビングした番組を、ダビング先の光ディスクＤＳにダビングする（ステップＳ２１２）。そして、ＣＰＵ３０は指定された番組が他に残っているか否かを判定する（ステップＳ２１３）。
【００６０】
指定された番組が残っていれば、ＣＰＵ３０はダビング情報に基づいて次の指定番組についてダビング元の光ディスクＤＳを選択し（ステップＳ２１４）、処理をステップＳ２０８に戻す。そして、ＣＰＵ３０は、全てのダビング指定された番組のダビングが終了するまで、Ｓ２０８からＳ２１４を繰り返し、全てのダビング指定された番組のダビングが完了すると、ダビングを終了する（ステップＳ２１５）。なお、ＣＰＵ３０が、全ての指定されたダビングが終了した後、あるいは、１枚毎のダビングが終了した時点でディスク管理情報を光ディスクＤＳに書き込む点は第１ダビングモードと同様である。
【００６１】
また、データレートの変換が指定されたダビングの場合、本実施例では、光ディスクＤＳからハードディスクＨＤに記録する際にデータレートの変換をしているが、ハードディスクＨＤにはそのままダビングし、ハードディスクＨＤから光ディスクＤＳへのダビング時にデータレートの変換を行うことも可能である。ハードディスクＨＤへダビングされた内容は、光ディスクＤＳへのダビングが終了すれば、自動的に消去される。また、ダビングが終了したら、ダビング元の光ディスクＤＳから元の番組を自動的に消去することも可能である。
【００６２】
なお、上述した実施例では、ディスク管理情報を各光ディスクＤＳに記録し、光ディスクＤＳをディスク記録再生装置１００に取り込んだときにディスク管理情報を読み出してメモリ３４に記憶したが、各光ディスクＤＳに識別情報を記録し、ディスク管理情報の記録を省略してもよい。この場合には、ディスク記録再生装置１００に不揮発性のメモリを設け、そこに識別情報とディスク管理情報とを対応付けて記憶すればよい。
【図面の簡単な説明】
【図１】本発明の一実施例に係るディスク記録再生装置１００の構成を示すブロック図である。
【図２】第１ダビングモードにおけるＣＰＵ３０の動作を示すフローチャートである。
【図３】第１ダビングモードにおけるダビング指定画面の一例を示す説明図である。
【図４】第２ダビングモードにおけるＣＰＵ３０の動作を示すフローチャートである。
【図５】第２ダビングモードにおけるダビング指定画面の一例を示す説明図である。
【図６】第３ダビングモードにおけるＣＰＵ３０の動作を示すフローチャートである。
【図７】第３ダビングモードにおけるダビング指定画面の一例を示す説明図である。
【符号の説明】
１　ディスク交換機構
Ａ　光ディスクドライブ
Ｂ　ハードディスクドライブ
１３　画像音声圧縮部
１６　画像音声伸張部
１８　ＧＵＩ
３０　ＣＰＵ
３１　操作部
３２　リモコン
ＤＳ　光ディスク
ＨＤ　ハードディスク
【図１】
2004127470.tif 000003
【図２】
2004127470.tif 000004
【図３】
2004127470.tif 000005
【図４】
2004127470.tif 000006
【図５】
2004127470.tif 000007
【図６】
2004127470.tif 000008
【図７】
2004127470.tif 000009